(57)【特許請求の範囲】
【請求項１】
衣類が濡れたり汚れるのを防ぐために着用する防水性のオーバーオールにおいて、オーバーオールの両側脇部分の内側に、添シートを一部が脇部分の内側に対して遊離するように取り付け、この添シートの遊離部分と脇部分の内側の対向部分に係脱自在となる一対の係止具を、脇部分の周方向に所定の間隔をおいて複数を設け、上記複数の係止具間に、収縮弾性で脇部分を絞り込むリング状弾性体を伸長状態でかけわたしたことを特徴とするオーバーオール。
【請求項２】
上記オーバーオールと添シートが防水性シートを用いて形成され、添シートはその上縁を脇部分の内側上縁に溶着することによって取り付けられ、上記一対の係止具はホックを用いて形成され、添シートの遊離部分と脇部分の対向部分に、上下に間隔をおいた二個のホックを周方向に所定の間隔で複数組設けたことを特徴とする請求項１に記載のオーバーオール。
【発明の詳細な説明】
【０００１】
【発明の属する技術分野】
この発明は、水に関係する仕事や作業、レジャー等に着用し、衣類が濡れたり汚れるのを防ぐ防水性のオーバーオールにおいて、脇部分の周方向を伸縮調整可能にし、脇部分を着用した人の体格に合わせて絞り込むことができるようにしたオーバーオールに関する。
【０００２】
【従来の技術】
上記のようなオーバーオールは、防水性シートを用い、ズボンと上着部分が連続して一体に形成され、衣類が濡れたり汚れるのを防ぐものである。
【０００３】
従来のオーバーオールは、ズボンの臀部から胴部がストレートな筒状となり、胴部の上縁で前部に上着部分の胸シートと後部に背シートを連なるように設け、胸シートと背シートの両側で上端部を肩ベルトや肩紐で結合するようにした構造になっている。
【０００４】
【発明が解決しようとする課題】
ところで、上記のような従来のオーバーオールは、ズボンの臀部から胴部がストレートな筒状になっていて、胴部上縁の前後に胸シートと背シートが位置するので、胴部の上縁で両側の脇部分は着用時にどうしても開口状になり、この開口部分からオーバーオールの内部に飛び散った水が浸入して衣服を濡らしたり汚すことがある。
【０００５】
また、上記のような胴部の上縁で両側の脇部分に生じる開口部分を閉じるために、着用時に脇部分の外周を紐やベルト等で縛るようにしているが、このような方法は、見た目に体裁が悪いだけでなく、作業中に紐やベルト等がずり落ちることが多々発生することがある。
【０００６】
そこで、この発明の課題は、胴部の上縁で両側の脇部分に伸縮性を付与すると共に、伸縮度合いを体格に合わせて自由に調整することができるようにし、脇部分を身体に沿わせることにより身体との間に開口の発生をなくし、開口の発生による問題点を解決することができるオーバーオールを提供することにある。
【０００７】
【課題を解決するための手段】
上記のような課題を解決するため、この発明は、衣類が濡れたり汚れるのを防ぐために着用する防水性のオーバーオールにおいて、オーバーオールの両側脇部分の内側に、添シートを一部が脇部分の内側に対して遊離するように取り付け、この添シートの遊離部分と脇部分の内側の対向部分に係脱自在となる一対の係止具を、脇部分の周方向に所定の間隔をおいて複数を設け、上記複数の係止具間に、収縮弾性で脇部分を絞り込むリング状弾性体を伸長状態でかけわたした構成を採用したものである。
【０００８】
また、上記オーバーオールと添シートが防水性シートを用いて形成され、添シートはその上縁を脇部分の内側上縁に溶着することによって取り付けられ、上記一対の係止具はホックを用いて形成され、添シートの遊離部分と脇部分の対向部分に、上下に間隔をおいた二個のホックを周方向に所定の間隔で複数組設けた構造とすることができる。
【０００９】
ここで、リング状弾性体を用いないときは  脇部分の周囲が最も伸長した状態となる。また、このリング状弾性体を係止具の係止時に複数の係止具にわたって伸長状態でかけわたすことにより、リング状弾性体の収縮弾性で脇部分の両側が絞り込まれた収縮状態となり、両側の脇部分を身体に沿わせることができる。
【００１０】
また、リング状弾性体を係止具にかけわたす時、係止具の数を選択することにより、脇部分の周囲の絞り込み状態を調整することができる。
【００１１】
【発明の実施の形態】
以下、この発明の実施の形態を図示例と共に説明する。
【００１２】
図１に示のように、オーバーオール１は、防水性シートを用い、ズボン２の臀部からその上の胴部３がストレートな筒状となり、胴部３の上縁で前部に上着部分の胸シート４と後部に背シート５を連なるように設け、胸シート４と背シート５の上端部を肩ベルト６や肩紐で結合するようになっている。
【００１３】
上記オーバーオール１における胴部３の上縁部で両側に位置する脇部分７の内側に、図２に示すように、防水性シートを用いて横長の矩形状に形成された添シート８が設けられている。
【００１４】
この添シート８はその上縁を脇部分７の内側上縁に溶着することによって、上縁を除く部分が脇部分７から遊離し得るように取り付け、この添シート８の遊離部分と脇部分７の対向部分に係脱自在となる一対の係止具９が、脇部分７の周方向に所定の間隔をおいて複数設けられている。
【００１５】
この係止具９は、一対の雄ホック９ａと雌ホック９ｂからなるホック９ｃを用いて形成され、図２（ｂ）のように、雄ホック９ａと雌ホック９ｂの一方を脇部分７に、同他方を添シート８に固定し、脇部分７と添シート８の対向面間で掛け外しできるように設けられ、図示の場合、添シート８の遊離部分と脇部分７の対向部分に、上下に間隔をおいた二個のホック９ｃを脇部分７の周方向に所定の間隔で三組を設けた例を示している。
【００１６】
上記した複数のホック９ｃにわたってかけわたすことにより、両側の脇部分７を絞り込んで伸縮性を付与するため、リング状弾性体１０が別途用意されている。
【００１７】
このリング状弾性体１０は、図示の場合、幅のある輪ゴムを用いて形成し、脇部分７の周方向に隣接する二個のホック９ｃに対して引き延ばさない状態でかけわたすことができる程度の直径を有し、このリング状弾性体１０をホック９ｃの係止時に、添シート８と脇部分７の対向面間に配置し、ホック９ｃの係止操作時に、複数のホック９ｃにわたって伸長状態になるようかけわたすことにより、リング状弾性体１０の収縮弾性で脇部分７を絞り込んで収縮状態とすることになる。
【００１８】
上記のように、リング状弾性体１０をオーバーオール１と別体とすることにより、破損や劣化によるリング状弾性体１０の取り換えが簡単に行え、しかも、オーバーオール１に対する縫着等の加工の手間が不要になり、脇部分７の絞り込みを複数段階に選択できるという利点がある。
【００１９】
この発明のオーバーオールは、上記のような構成であり、リング状弾性体１０を用いないときは  図２や図４（ａ）に示すように、脇部分７は周方向に伸長した状態となっている。
【００２０】
また、オーバーオール１の着用に際して、添シート８と脇部分７の対向面間に位置させた上記リング状弾性体１０を、ホック９ｃの係止時に複数のホック９ｃにわたって伸長状態でかけわたすことにより、リング状弾性体１０の収縮弾性で脇部分７が絞り込まれた収縮状態となり、着用したオーバーオール１の両側の脇部分７を身体に沿わせることができる。
【００２１】
また、リング状弾性体１０をホック９ｃにかけわたす時、かけわたすホック９ｃの数を選択することにより、脇部分７の周方向の絞り込み状態を着用する人の体格に合わせて調整することができる。即ち、リング状弾性体１０をかけわたすホック９ｃの数が増えるほど、リング状弾性体１０は伸長してその収縮力が大きくなり、脇部分７の絞り込み量が多くなる。
【００２２】
図３と図４（ｂ）は、脇部分７の周方向で上部に位置する三つのホック９ｃにリング状弾性体１０をかけわたし、脇部分７を少し絞り込んだ状態を示したが、全てのホック９ｃにリング状弾性体１０をかけわたした時、リング状弾性体１０の伸長が最大となり、脇部分７を最大に絞り込むことができる。
【００２３】
上記のように、両側の脇部分７をリング状弾性体１０で絞り込んで収縮状態とすることにより、着用したオーバーオール１における脇部分７の上縁が身体に密着することになり、脇部分７の上縁と身体の間に開口部が生じないので、開口部からオーバーオール１の内側に飛び散った水が浸入して衣服を濡らしたり汚すような事態の発生がない。
【００２４】
【発明の効果】
以上のように、この発明によると、オーバーオールの両側脇部分に添シートを一部が遊離可能となるように取り付け、この添シートの遊離部分と脇部分の対向部分に係脱自在となる一対の係止具を、脇部分の周方向に所定の間隔をおいて複数を設け、上記複数の係止具間にリング状弾性体をかけわたすことによって脇部分の周方向を伸縮調整可能にしたので、脇部分に該当する部分を絞り込んで身体に沿わせることができ、オーバーオールの着用時に脇部分に開口の発生をなくし、飛び散った水が開口から浸入して衣服を濡らしたり汚すような事態の発生を防ぐことができる。
【００２５】
また、リング状弾性体をかけわたす係止具の数を選択することにより、脇部分の絞り度合いを体格に合わせて自由に調整することができ、かつ、脇部分を絞り込むことにより、脇部分の外周を紐やベルト等で縛るような必要がなくなり、オーバーオールの着用時における見た目の体裁をよくするだけでなく、作業中に紐やベルト等がずり落ちるようなことがない。
【００２６】
更に、リング状弾性体をオーバーオールと別体とすることにより、リング状弾性体の破損や劣化による取り換えが自由に行え、リング状弾性体をオーバーオールに縫着するような手間も不要になる。
【図面の簡単な説明】
【図１】この発明に係るオーバーオールの斜視図
【図２】（ａ）は同上における脇部分の伸長状態を示す正面図、（ｂ）は同縦断側面図
【図３】同上における脇部分の絞り込み状態を示す正面図
【図４】（ａ）は同上における脇部分の伸長状態を示す横断平面図、（ｂ）は同脇部分の絞り込み状態を示す横断平面図
【符号の説明】
１  オーバーオール
２  ズボン
３  胴部
４  胸シート
５  背シート
６  肩ベルト
７  脇部分
８  添シート
９  係止具
９ａ  雄ホック
９ｂ  雌ホック
９ｃ  ホック
１０  リング状弾性体
【図１】
0004554123.tif 000002
【図２】
0004554123.tif 000003
【図３】
0004554123.tif 000004
【図４】
0004554123.tif 000005